(57)【要約】      （修正有）【課題】取り外す時であっても直接に落ちることがなく、安全で衛生な炊飯器の鍋蓋を提供すること。【解決手段】炊飯器は、内蓋アセンブリ１と、内蓋アセンブリの下部に連結部材により取り外し可能に設けられている可動蓋板アセンブリ２と、内蓋アセンブリと可動蓋板アセンブリとの間に設けられ、連結部材４が可動蓋板アセンブリを解放する場合、可動蓋板アセンブリと内蓋アセンブリとが脱離しないように構成される吸着部材３とを含む。【選択図】図１
2018143738.tif 000002
【特許請求の範囲】
【請求項１】
内蓋アセンブリと、
該内蓋アセンブリの下部に連結部材により取り外し可能に設けられた可動蓋板アセンブリと、
前記内蓋アセンブリと前記可動蓋板アセンブリとの間に設けられ、前記連結部材が前記可動蓋板アセンブリを解放した場合、前記可動蓋板アセンブリと前記内蓋アセンブリとが脱離しないように構成される吸着部材と、を含むことを特徴とする炊飯器の鍋蓋。
【請求項２】
前記吸着部材内にはチャンバが設けられ、
前記吸着部材が前記内蓋アセンブリと前記可動蓋板アセンブリとの間に設けられた場合、前記チャンバ内は負圧であることを特徴とする請求項１に記載の炊飯器の鍋蓋。
【請求項３】
前記吸着部材は、弾性材料部材であることを特徴とする請求項２に記載の炊飯器の鍋蓋。
【請求項４】
前記吸着部材は、シリコーン部材又はＰＶＣ材料部材であることを特徴とする請求項２に記載の炊飯器の鍋蓋。
【請求項５】
前記内蓋アセンブリは上部内蓋を含み、
前記可動蓋板アセンブリは可動蓋板を含み、
前記吸着部材は、前記上部内蓋と前記可動蓋板との間に設けられていることを特徴とする請求項1乃至４のいずれかに記載の炊飯器の鍋蓋。
【請求項６】
前記内蓋アセンブリは、前記上部内蓋の下方に設けられる保温座板を更に含み、
前記吸着部材は、前記保温座板と前記可動蓋板との間に設けられていることを特徴とする請求項５に記載の炊飯器の鍋蓋。
【請求項７】
前記吸着部材の底部が開放され、前記吸着部材の上部は前記保温座板に接続されることを特徴とする請求項６に記載の炊飯器の鍋蓋。
【請求項８】
前記吸着部材の上部にはリング状溝が備えられ、
前記保温座板には、前記吸着部材を前記保温座板に接続するように前記リング状溝と結合される吸着孔が備えられていることを特徴とする請求項７に記載の炊飯器の鍋蓋。
【請求項９】
前記可動蓋板アセンブリは、
リング形状に形成されて前記可動蓋板の下部の縁部に当接するシールリングと、
前記連結部材により前記内蓋に接続されるプレッシャリングと、を更に含み、
該プレッシャリングは、前記シールリングの位置を前記プレッシャリングと前記可動蓋板との間において制限することを特徴とする請求項５に記載の炊飯器の鍋蓋。
【請求項１０】
前記上部内蓋の上部に取り付け溝を有し、
前記連結部材は、スライダと復元ばねとを含み、
前記スライダは、前記復元ばねによりロック位置と解放位置とに可動可能に前記取り付け溝に設けられ、前記スライダが前記ロック位置に位置する場合、前記プレッシャリングの位置が制限されて前記上部内蓋の下部に接続され、前記スライダが前記解放位置に位置する場合、前記プレッシャリングが解放されることを特徴とする請求項９に記載の炊飯器の鍋蓋。
【請求項１１】
前記スライダは、位置決め柱を備え、
前記復元ばねは、前記位置決め柱に嵌合するよう設けられるとともに、前記スライダと前記取り付け溝の側壁の間に当接することを特徴とする請求項１０に記載の炊飯器の鍋蓋。
【請求項１２】
前記プレッシャリングの縁部には、その径方向に沿って外へ延伸する位置制限舌が備えられ、
前記上部内蓋の下側表面には、前記位置制限舌を収容する収容部が備えられ、
前記スライダが前記ロック位置に位置する場合、前記スライダの収容部に隣接する一端は、前記収容部の一側から伸びて前記位置制限舌と結合することを特徴とする請求項１０に記載の炊飯器の鍋蓋。
【請求項１３】
上記請求項１乃至１２のいずれかに記載の炊飯器の鍋蓋を含むことを特徴とする炊飯器。
【発明の詳細な説明】
【技術分野】
【０００１】
本発明は、炊飯器製品分野に関する。
【背景技術】
【０００２】
関連技術において、炊飯器製品の鍋蓋は、互いに接続された可動蓋板アセンブリと内蓋アセンブリとを含み、摺動しながら内蓋アセンブリを取り外す場合、内蓋アセンブリは重力の作用で自動的に外れ、内鍋上又は操作卓上に落ちる可能性があり、不安全かつ不衛生で、ユーザ操作性も悪い。
【発明の概要】
【発明が解決しようとする課題】
【０００３】
本発明の目的は、従来技術における少なくとも１つの技術的課題を解決することである。本発明は炊飯器の鍋蓋を提供する。前記鍋蓋の内蓋アセンブリは、たとえ取り外す時であっても直接に落ちることがなく、安全で衛生である。
【０００４】
本発明は更に、上記の鍋蓋を有する炊飯器を提供する。
【課題を解決するための手段】
【０００５】
本発明の実施例によれば、炊飯器の鍋蓋は、内蓋アセンブリと、前記内蓋アセンブリの下部に、連結部材により取り外し可能に設けられている可動蓋板アセンブリと、前記内蓋アセンブリと前記可動蓋板アセンブリとの間に設けられ、前記連結部材が前記可動蓋板アセンブリを解放する場合、前記可動蓋板アセンブリと前記内蓋アセンブリとが脱離しないように構成される吸着部材とを含む。
【０００６】
本発明の実施例によれば、炊飯器の鍋蓋は、内蓋アセンブリと可動蓋板アセンブリとの間の連結部材が作用しない又は失効された場合、吸着部材は、可動蓋板アセンブリが重力の作用で内鍋上又は操作卓上に直接に落ちることがないように保証することができるので、鍋蓋の衛生状態が保証され、また使用者の安全が保証され、ユーザ操作性を向上させる。
【０００７】
本発明の１実施例によれば、前記吸着部材内にはチャンバが設けられ、前記吸着部材が前記内蓋組立部材と前記可動蓋板アセンブリとの間に設けられた場合、前記チャンバ内は負圧であるため、チャンバ内部とチャンバ外部とに大気圧差が形成される。これにより可動アセンブリは圧力差で内蓋アセンブリに吸着することとしてもよい。
【０００８】
選択的には、前記吸着部材は、弾性材料部材であってもよい。
【０００９】
選択的には、前記吸着部材は、シリコーン部材又はＰＶＣ材料部材であってもよい。
【００１０】
本発明の１実施例によれば、前記内蓋アセンブリは上部内蓋を含み、前記可動蓋板アセンブリは可動蓋板を含み、前記吸着部材は前記上部内蓋と前記可動蓋板との間に設けられていることとしてもよい。
【００１１】
本発明の１つの選択可能な実施例によれば、前記内蓋アセンブリは、前記上部内蓋の下方に設けられる保温座板を更に含み、前記吸着部材は、前記保温座板と前記可動蓋板との間に設けられていることとしてもよい。
【００１２】
選択的には、前記吸着部材の底部が開放され、前記吸着部材の上部は前記保温座板に接続されていてもよい。
【００１３】
前記吸着部材の上部にはリング状溝が設けられ、前記保温座板には、前記吸着部材を前記保温座板に接続させるように前記リング状溝と結合される吸着孔が備えられていてもよい。
【００１４】
本発明の１つの選択可能な実施例によれば、前記可動蓋板アセンブリは、リング形状に形成されて前記可動蓋板の下部の縁部に当接するシールリングと、前記連結部材により前記内蓋に接続されるプレッシャリングとを更に含み、該プレッシャリングは、前記シールリングの位置を前記プレッシャリングと前記可動蓋板との間において制限することとしてもよい。
【００１５】
前記上部内蓋の上部には取り付け溝が備えられ、前記連結部材は、スライダと復元ばねとを含み、前記スライダは、前記復元ばねによりロック位置と解放位置に可動可能に前記取り付け溝に設けられ、前記スライダが前記ロック位置に位置する場合、前記プレッシャリングが制限されて前記上部内蓋の下部に接続され、前記スライダは前記解放位置に位置する場合に前記プレッシャリングを解放することとしてもよい。
【００１６】
選択的には、前記スライダには位置決め柱が備えられ、前記復元ばねは前記位置決め柱に嵌合するように設けられるとともに、前記スライダと前記取り付け溝の側壁の間に当接することとしてもよい。
【００１７】
選択的には、前記プレッシャリングの縁部にはその径方向に沿って外へ延伸する位置制限舌が備えられ、前記上部内蓋の下側面に前記位置制限舌を収容する収容部を有し、前記スライダが前記ロック位置に位置する場合、前記スライダの収容部に隣接する一端は、前記収容部の一側から伸びて前記位置制限舌と結合することとしてもよい。
【００１８】
本発明による炊飯器の鍋蓋は、簡単に操作でき、安全で衛生の上に、構造が簡易で、低コストである。
【００１９】
本発明の第２実施例によると、炊飯器は、上記第１実施例に記載の鍋蓋を含む。
【発明の効果】
【００２０】
本発明の付加的な特徴と利点は以下の説明において一部が与えられるが、一部は以下の説明により明らかになり、又は本発明の実践により理解される。
【図面の簡単な説明】
【００２１】
本発明の上述および／または付加的な特徴と利点は、下記の添付図面を参照した実施例に対する説明により、明らかになり、理解されることが容易になる。
【図１】本発明の実施例による炊飯器の鍋蓋の分解図である。
【図２ａ】図１に示す鍋蓋における吸着部材が取り付けられていない状態の概略図である。
【図２ｂ】図２ａにおけるＢ部の拡大図である。
【図３ａ】図１に示す鍋蓋における吸着部材が取り付け済みの概略図である。
【図３ｂ】図３ａにおけるＣ部の拡大図である。
【図４】図１に示すＡ部の拡大図である。
【図５ａ】本発明の実施例による炊飯器の鍋蓋の概略図である。
【図５ｂ】図５ａにおけるＤ部の拡大図である。
【図６】本発明の実施例による炊飯器の鍋蓋における可動蓋板アセンブリの概略図である。
【図７】本発明の実施例による炊飯器の鍋蓋の底面図である。
【発明を実施するための形態】
【００２２】
以下に、本発明の実施形態を詳細に説明する。前記実施形態の例が図面に示されるが、同一または類似する符号は、常に、相同又は類似の部品、或いは、相同又は類似の機能を有する部品を表す。以下に、図面を参照しながら説明される実施形態は例示的なものであり、本発明を解釈するためだけに用いられ、本発明を限定するものと理解されてはならない。
【００２３】
本発明の説明において、「上」、「下」、「頂」、「底」、「内」、「外」、「半径方向」、「周方向」などの用語が示す方位又は位置関係は、図面に示す方位又は位置関係に基づき、本発明を便利にまたは簡単に説明するために使用されるものであり、指定された装置又は部品が特定の方位にあり、特定の方位において構造され操作されると指示又は暗示するものではないので、本発明に対する限定と理解してはならない。
【００２４】
以下に、図１乃至図７を参照しながら本発明の実施例による炊飯器の鍋蓋１００を説明する。
【００２５】
図１に示すように、本発明の１つの実施例による炊飯器の鍋蓋１００は、内蓋アセンブリ１と、可動蓋板アセンブリ２と吸着部材３とを含む。
【００２６】
可動蓋板アセンブリ２は、内蓋アセンブリ１の下部において、連結部材４により取り外し可能に設けられ、吸着部材３は、内蓋アセンブリ１と、可動蓋板アセンブリ２との間に設けられている。吸着部材３は、連結部材４が可動蓋板アセンブリ２を解放する場合に、可動蓋板アセンブリ２と内蓋アセンブリ１とが脱離しないように構成される。
【００２７】
つまり、内蓋アセンブリ１と可動蓋板アセンブリ２との間の連結部材が作用しない又は失効された場合であっても、吸着部材は、可動蓋板アセンブリ２が重力の作用で内鍋上又は操作卓上に直接に落ちないようにすることができるので、鍋蓋の衛生状態が保証され、使用者の安全も保証され、ユーザ操作性が向上する。
【００２８】
これにより、本発明の実施例による炊飯器の鍋蓋は、安全で衛生の上、構造が簡単で低コストである。
【００２９】
本発明の１つの実施例によると、図２ａ−３ｂに示すように、吸着部材３内にチャンバ３１が設けられている。吸着部材３が内蓋アセンブリ１と可動蓋板アセンブリ２との間に設けられた場合、チャンバ３１内は負圧である。つまり、内蓋アセンブリ１に可動蓋板アセンブリ２を取り付けていない場合には、吸着部材３は自然状態となり、図２ａと図２ｂに示すように、チャンバ３１は外部と連通する。しかし、図３ａと図３ｂに示すように、内蓋アセンブリ１が可動蓋板アセンブリ２に取り付けられると、チャンバ３１内は負圧状態となり、これにより、チャンバ３１内部とチャンバ３１外部との間で大気圧差が形成される。この結果、可動蓋板アセンブリ２は圧力差により内蓋アセンブリ１に吸着される。この状況で、たとえ連結部材４が働かない又は失効した場合であっても、可動蓋板アセンブリ２は重力の作用で内蓋アセンブリ１から落ちることがない。よって、簡単な構造デザインでありながら従来技術における課題を避けることができ、デザインは巧妙の上に低コストであり、しかも安全性は高い。
【００３０】
本発明の１つの選択可能な例示において、吸着部材３は弾性材料部材である。吸着部材３はシリコーン部材、ＰＶＣ材料部材又は他の弾性材料部材である。勿論、本発明はこれを限定するものではなく、吸着部材３は更に他の方式でチャンバ３１を負圧又は真空にさせることができるものであってよく、例えば、真空ポンプ（図なし）により真空を抽出する等としてもよい。選択的には、吸着部材３の横断面は円形、方形又は他の形状である。
【００３１】
吸着部材３は内蓋アセンブリ１に接続されてもよく、可動蓋板アセンブリ２に接続されていてもよい。図１乃至図３ｂに示すように、本発明の１つの実施例によれば、内蓋アセンブリ１は上部内蓋１１を含み、可動蓋板アセンブリ２は可動蓋板２１を含み、吸着部材３は上部内蓋１１と可動蓋板２１との間に設けられている。例えば２ｂと図３ｂに示すように、内蓋アセンブリ１は保温座板１２を更に含み、保温座板１２は上部内蓋１１の下方に設けられ、吸着部品３は保温座板１２と可動蓋板２１との間に設けられていることとしてもよい。
【００３２】
その中の１つの選択可能な例示において、図２ｂに示すように、吸着部材３の底部が開放され、吸着部材３の上部３２は保温座板１２に接続される。即ち、チャンバ３１の底部は開口を有し、ここから吸着部材３を押出して底部の開口を可動蓋板２１に密着させ、大気圧の作用で吸着部材３は可動蓋板２１にしっかりと吸着するように、可動蓋板２１は落ちないように保温座板１２に接続される。具体的には、図２ｂに示すように、吸着部材３の上部３２にリング状溝３３が形成され、保温座板１２に吸着孔１２１を有し、当該吸着孔１２１はリング状溝３３と結合して吸着部材３を保温座板１２に接続させるようにして吸着部材３の上部３２を吸着孔１２１内に嵌合する。このようにすることで、吸着部材３と保温材板１２との間の接続の安定性が保証される。
【００３３】
当業者は、本発明がこれに限定されることではないのを理解するべきである。他の選択可能な例において、保温座板１２は省略することができ、これにより、吸着部材は上部内蓋１１に直接されることができる。勿論、上記の上部内蓋１１の孔に嵌合する方式や、ねじ締結や、粘着固定等様々な連結方法を採用することもでき、ここで具体的に限定しない。
【００３４】
図１−２ｂに示すように、本発明の一部の実施例において、可動蓋板アセンブリ２は、シールリング２２とプレッシャリング２３とを更に含む。具体的には、図２ｂの拡大図に示すように、シールリング２２はリング形状に形成されて可動蓋板２１の下部の縁部に当接し、プレッシャリング２３は連結部材４により上部内蓋１１に接続されシールリング２２の位置をプレッシャリング２３と可動蓋板２１との間において制限する。
【００３５】
図４に示すように、上部内蓋１１の上部には取り付け溝１１１が設けられ、連結部材４は、スライダ４１と復元ばね４２とを含む。スライダ４１は、復元ばね４２により、ロック位置と解放位置との間で移動可能に取り付け溝１１１に設けられている。スライダ４１がロック位置に位置する場合には、プレッシャリング２３が制限されて可動蓋板２１の下部に接続させ、スライダ４１が解放位置に位置する場合には、プレッシャリング２３を解放する。図４に示す例において、スライダ４１は水平方向に移動するが、当業者に理解されるように、スライダ４１は勿論他の方向、例えば上下方向や、垂直方向と角をなす傾斜方向に動くこともでき、更に回転することによりロックと解放を実現することもできる。
【００３６】
その中の一例において、図４と図５ｂに示すように、スライダ４１は位置決め柱４３を有する。復元ばね４２は位置決め柱４３に嵌合されるとともに、スライダ４１と取り付け溝１１１の側壁１１１１との間に当接する。
【００３７】
本例において、図６に示すように、プレッシャリング２３の縁部には、その径方向に沿って外へ延伸する位置制限舌２３１を有する。図４と図５ａと図５ｂに示すように、上部内蓋１１の下側の表面に収容部１１２を有し、当該収容部１１２は上へ突出してスライダが位置する水平方向に延伸して内部に収容位置制限舌２３１を収容するためのチャンバ（図に示されていない）が区画される。これにより、スライダ４１がロック位置に位置する場合（図５ａと５ｂに示すように）には、スライダ４１の収容部１１２に隣接する一端は、収容部１１２の一側から伸びて位置制限舌２３１と結合する。一方、スライダ４１がユーザに操作されて摺動して解放位置に位置する場合（図７に示すように）には、スライダ４１は位置制限舌２３１を解放して収容部１１２から退出し、可動蓋板アセンブリ２は内蓋アセンブリ１から脱離する。
【００３８】
具体的には、図４に示すように、スライダ４１は、本体４１１と、フック部４１２と、摺動部４１３とを含む。位置決め柱４３は、本体４１１の一側に設けられ、フック部４１２は、本体４１１における位置決め柱から遠方の他側に設けられている。フック部４１２の上端面には、本体４１１の上端面より低くされた段部が形成され、ここでスライダがロック位置に位置する場合、フック部４１２は収容部内に伸びて位置制限舌の下端面（図５ｂに示すように）を塞ぐ（図５ｂに示すように）。摺動部４１３は本体４１１の下端に設けられ、取り付け溝１１１内には、下へ凹む摺動溝１１３を有し（図４に示すように）、図５ｂに示すように、摺動部４１３は摺動溝１１３内を可動する。
【００３９】
以下に、図１乃至図７を参照しながら、本発明の１つの具体的な実施例による炊飯器の鍋蓋の組み立て及び作業過程を詳しく説明する。
【００４０】
鍋蓋１００は、内蓋アセンブリ１と、可動蓋板アセンブリ２と弾性的なシリコーン製の吸着部材３とを含む。吸着部材３は、チャンバ３１を有し、かつ、底部が開放されている。内蓋アセンブリ１は、上部内蓋１１と保温座板１２とを含む。吸着部材３は、保温座板１２の吸着孔１２１を嵌合する。可動蓋板アセンブリ２は、可動蓋板２１と、シールリング２２とプレッシャリング２３とを含む。
【００４１】
図２ａと図２ｂに示すように、内蓋アセンブリ１に可動蓋板アセンブリ２が取り付けられていない場合、弾性的なシリコーン製の吸着部材３は自然状態となり、チャンバ３１は外部と連通する。
【００４２】
内蓋アセンブリ１と可動蓋板アセンブリ２を組み立てる場合、図３ａと図３ｂに示すように、吸着部材３を押出すとチャンバ３１内が負圧状態になり、これにより、チャンバ３１内部とチャンバ３１の外部とに大気圧差が形成される。この結果、可動蓋板２１は圧力差により保温座板１２上に吸着される。この時、上部内蓋１１に設けられたスライダ４１は復元ばね４２の作用で収容部１１２の側壁を通過して中に伸びた後、スライダ４１のフック部４１２が収容部１１２内のプレッシャリング２３の位置制限舌２３１と結合して、位置制限舌２３１を制限する。図５ｂに示すように、可動蓋板アセンブリ２全体に対して制限し、更に可動蓋板アセンブリ２が内蓋アセンブリ１に接続される。
【００４３】
内蓋アセンブリ１から可動蓋板アセンブリ２を取り外す場合、ユーザがスライダ４１が図７における矢印の方向に沿って可動するようにスライダ４１を駆動すると、スライダ４１におけるフック部４１２は位置制限舌２３１から離れて位置制限舌２３１を解放して、その後、収容部１１２から退出する。この時、可動蓋板アセンブリ２は内蓋アセンブリ１との間にスライダを介して接続されていないが、吸着部材３の吸着作用により可動板蓋組み立て部品２が重力の作用で下へ落ちることがなく、内蓋アセンブリ１に引き続き吸着する。
【００４４】
この時、ユーザは手動で又はツールを操作することで吸着部材３のチャンバ３１を外部と連通させて負圧条件を解放させ、可動蓋板アセンブリ２を内蓋アセンブリ１から順調に取り外すことができる。
【００４５】
これにより、本発明による炊飯器の鍋蓋は、簡単に操作でき、安全で衛生の上、構造が簡易で低コストである。
【００４６】
本発明の第２実施例によると、炊飯器は、上記の実施例に記載の前記鍋蓋を含む。
【００４７】
本発明の実施例による炊飯器の他の構成、例えば、ポット本体とコントローラ及び操作は、当業者にとって周知されたものであってもよく、ここで詳しく説明しないことにする。
【００４８】
本発明の説明において、「一つの実施形態」、「一部の実施形態」、「例示的な実施形態」、「例示」、「具体的な例示」、或いは「一部の例示」などの用語を参考した説明とは、該実施形態或いは例示に結合して説明された具体的な特徴、構成、材料或いは特徴が、本発明の少なくとも一つの実施形態或いは例示に含まれることである。本明細書において、上記用語に対する例示的な描写は、必ずしも同じ実施形態或いは例示を示すことではない。又、説明された具体的な特徴、構成、材料或いは特徴は、いずれか一つ或いは複数の実施形態又は例示において適切に結合することができる。
【００４９】
本発明の実施例を示して説明したが、当業者にとって理解できるのは、本発明の原理及び主旨から逸脱しない限りこれらの実施例に対して複種の変化、補正、切り替え及び変形を行うことができる。本発明の範囲は、特許請求の範囲及びその等価物により限定される。
【符号の説明】
【００５０】
１００  鍋蓋
１      内蓋アセンブリ
１１    上部内蓋
１１１  取り付け溝
１１２  収容部
１１３  摺動溝
１２    保温座板
１２１  吸着孔
２      可動蓋板アセンブリ
２１    可動蓋板
２２    シールリング
２３    プレッシャリング
２３１  位置制限舌
３      吸着部材
３１    チャンバ
３３    リング状溝
４      連結部材
４１    スライダ
４１１  本体
４１２  フック部
４１３  摺動部
４２    復元ばね
４３    位置決め柱
【図１】
2018143738.tif 000003
【図２ａ】
2018143738.tif 000004
【図２ｂ】
2018143738.tif 000005
【図３ａ】
2018143738.tif 000006
【図３ｂ】
2018143738.tif 000007
【図４】
2018143738.tif 000008
【図５ａ】
2018143738.tif 000009
【図５ｂ】
2018143738.tif 000010
【図６】
2018143738.tif 000011
【図７】
2018143738.tif 000012